(57)【特許請求の範囲】
【請求項１】
ユーザ機器（ＵＥ）に送信されるべき拡張された物理ダウンリンク制御チャネル（ｅＰＤＣＣＨ）のための複数の仮想セル識別子（ＩＤ）を構成することと、各仮想セルＩＤは、サービングセルの物理セルＩＤとは別個に構成され、前記ｅＰＤＣＣＨは、前記ＵＥのために構成された複数のｅＰＤＣＣＨリソースセットのうちの少なくとも２つのｅＰＤＣＣＨリソースセットに関連付けられる、
前記ｅＰＤＣＣＨを復号しようと試みるために、前記ＵＥによって使用される複数のｅＰＤＣＣＨ復号候補を前記少なくとも２つのｅＰＤＣＣＨリソースセットの間で分割することと、前記分割することは、前記複数のｅＰＤＣＣＨ復号候補のうちの第１のｅＰＤＣＣＨ復号候補が前記少なくとも２つのｅＰＤＣＣＨリソースセットのうちの第１のｅＰＤＣＣＨリソースセットに関連付けられ、前記複数のｅＰＤＣＣＨ復号候補のうちの第２のｅＰＤＣＣＨ復号候補が前記少なくとも２つのｅＰＤＣＣＨリソースセットのうちの第２のｅＰＤＣＣＨリソースセットに関連付けられるように行われる、
前記少なくとも２つのｅＰＤＣＣＨリソースセットの各々を前記複数の仮想セルＩＤのうちの少なくとも１つの仮想セルＩＤに関連付けることと、
前記第１のｅＰＤＣＣＨ復号候補のための第１の仮想セルＩＤを決定することと、前記第１の仮想セルＩＤは、前記ＵＥのために構成された前記複数のｅＰＤＣＣＨリソースセットのうちの前記第１のｅＰＤＣＣＨリソースセットに関連付けられる、
前記第１の仮想セルＩＤに基づくスクランブリングシーケンスを用いて、前記ｅＰＤＣＣＨをスクランブルすることと、
前記第１のｅＰＤＣＣＨ復号候補を使用して、前記ＵＥに、前記スクランブルされたｅＰＤＣＣＨを送信することと、
を備える、ワイヤレス通信の方法。
【請求項２】
前記ｅＰＤＣＣＨを他のチャネルと周波数分割多重化することをさらに備える、請求項１に記載の方法。
【請求項３】
前記構成することが、前記複数の仮想セルＩＤを、物理ダウンリンク共有チャネル（ＰＤＳＣＨ）の少なくとも１つの仮想セルＩＤと同じになるように構成することを備える、請求項１に記載の方法。
【請求項４】
前記構成することが、前記複数の仮想セルＩＤを、物理ダウンリンク共有チャネル（ＰＤＳＣＨ）の少なくとも１つの仮想セルＩＤとは別個に構成することを備える、請求項１に記載の方法。
【請求項５】
前記複数の仮想セルＩＤを、前記ＵＥにシグナリングすることをさらに備える、請求項１に記載の方法。
【請求項６】
前記第１の仮想セルＩＤを、送信された基準信号に関連付けることをさらに備える、請求項１に記載の方法。
【請求項７】
前記第２のｅＰＤＣＣＨ復号候補ための第２の仮想セルＩＤを決定することと、前記第２の仮想セルＩＤは、前記第２のｅＰＤＣＣＨリソースセットに関連付けられる、
前記第２の仮想セルＩＤに基づくスクランブリングシーケンスを用いて、前記ｅＰＤＣＣＨをスクランブルすることと、前記第２の仮想セルＩＤは、前記第１の仮想セルＩＤと異なる、
前記第２のｅＰＤＣＣＨ復号候補を使用して、前記スクランブルされたｅＰＤＣＣＨを送信することと、
をさらに備える、請求項１に記載の方法。
【請求項８】
前記第１のｅＰＤＣＣＨ復号候補を、局所化されたｅＰＤＣＣＨ送信に関連付け、前記第２のｅＰＤＣＣＨ復号候補を、分散されたｅＰＤＣＣＨ送信に関連付けることをさらに備える、請求項７に記載の方法。
【請求項９】
前記第１のｅＰＤＣＣＨ復号候補を、前記第１のｅＰＤＣＣＨリソースセットに関連付け、前記第２のｅＰＤＣＣＨ復号候補を、前記第２のｅＰＤＣＣＨリソースセットに関連付けることをさらに備える、請求項７に記載の方法。
【請求項１０】
前記第１のｅＰＤＣＣＨ復号候補が第１のセルから送信され、前記第２のｅＰＤＣＣＨ復号候補が第２のセルから送信される、請求項７に記載の方法。
【請求項１１】
複数のｅＰＤＣＣＨリソースセットを構成すること、
をさらに備える、請求項１に記載の方法。
【請求項１２】
前記スクランブルされた第１のｅＰＤＣＣＨが複数のセルから送信される、請求項１に記載の方法。
【請求項１３】
第１の探索空間において拡張された物理ダウンリンク制御チャネル（ｅＰＤＣＣＨ）を復号しようと試みるために、ｅＰＤＣＣＨ復号候補の第１のセットをユーザ機器（ＵＥ）において決定することと、前記ｅＰＤＣＣＨは、前記ＵＥのために構成された複数のｅＰＤＣＣＨリソースセットのうちの少なくとも２つのｅＰＤＣＣＨリソースセットに関連付けられ、前記ｅＰＤＣＣＨ復号候補の第１のセットは、複数のｅＰＤＣＣＨ復号候補を前記少なくとも２つのｅＰＤＣＣＨリソースセットの間で分割されたセットうちの１つである、
ｅＰＤＣＣＨ復号候補の前記第１のセットのための第１の仮想セル識別子（ＩＤ）を前記ＵＥにおいて決定することと、前記第１の仮想セルＩＤは、サービングセルの物理セルＩＤとは別個に構成され、前記第１の仮想セルＩＤは、前記少なくとも２つのｅＰＤＣＣＨリソースセットのうちの１つに関連付けられた仮想セルＩＤである、
前記第１の仮想セルＩＤとｅＰＤＣＣＨ復号候補の前記決定された第１のセットとに少なくとも部分的に基づいて、前記ｅＰＤＣＣＨを前記ＵＥにおいて復号することと、
を備える、ワイヤレス通信の方法。
【請求項１４】
前記ｅＰＤＣＣＨが、前記第１の仮想セルＩＤに少なくとも部分的に基づいてスクランブルされる、請求項１３に記載の方法。
【請求項１５】
前記第１の仮想セルＩＤが、物理ダウンリンク共有チャネル（ＰＤＳＣＨ）の少なくとも１つの仮想セルＩＤと同じである、請求項１３に記載の方法。
【請求項１６】
前記第１の仮想セルＩＤが、物理ダウンリンク共有チャネル（ＰＤＳＣＨ）の少なくとも１つの仮想セルＩＤとは異なる、請求項１３に記載の方法。
【請求項１７】
第２の探索空間において前記ｅＰＤＣＣＨを復号しようと試みるために、ｅＰＤＣＣＨ復号候補の第２のセットを決定することと、前記ｅＰＤＣＣＨ復号候補の第２のセットは、複数のｅＰＤＣＣＨ復号候補を前記少なくとも２つのｅｐＤＣＣＨリソースセットの間で分割されたもののうちの前記第１のセットと異なるセットである、
復号候補の前記第２のセットのための第２の仮想セルＩＤを決定することと、前記第２の仮想セルＩＤは、前記少なくとも２つのｅＰＤＣＣＨリソースセットのうちの１つに関連付けられた前記第１の仮想セルＩＤとは異なる仮想セルＩＤである、
前記第２の仮想セルＩＤとｅＰＤＣＣＨ復号候補の前記決定された第２のセットとに少なくとも部分的に基づいて、前記ｅＰＤＣＣＨを復号することと、
をさらに備える、請求項１３に記載の方法。
【請求項１８】
ｅＰＤＣＣＨ復号候補の前記第１のセットの前記ｅＰＤＣＣＨが局所化されたｅＰＤＣＣＨ送信であり、ｅＰＤＣＣＨ復号候補の前記第２のセットの前記ｅＰＤＣＣＨが分散されたｅＰＤＣＣＨ送信である、請求項１７に記載の方法。
【請求項１９】
ｅＰＤＣＣＨ復号候補の前記第１のセットの前記ｅＰＤＣＣＨが第１のセルから受信され、ｅＰＤＣＣＨ復号候補の前記第２のセットの前記ｅＰＤＣＣＨが第２セルから受信される、請求項１７に記載の方法。
【請求項２０】
前記ｅＰＤＣＣＨが前記第１の仮想セルＩＤによってスクランブルされる、請求項１３に記載の方法。
【請求項２１】
ｅＰＤＣＣＨ復号候補の前記第１のセットを、第１のｅＰＤＣＣＨリソースセットに関連付け、ｅＰＤＣＣＨ復号候補の前記第２のセットを、第２のｅＰＤＣＣＨリソースセットに関連付けること、
をさらに備える、請求項１７に記載の方法。
【請求項２２】
前記ｅＰＤＣＣＨが複数のセルから受信される、請求項１３に記載の方法。
【請求項２３】
複数のｅＰＤＣＣＨリソースセットの構成を受信すること、
をさらに備える、請求項１３に記載の方法。
【請求項２４】
少なくとも１つの構成された仮想セルＩＤを受信することと、
前記受信された少なくとも１つの構成された仮想セルＩＤに少なくとも部分的に基づいて、前記第１の仮想セルＩＤを決定することと、
をさらに備える、請求項１３に記載の方法。
【請求項２５】
ユーザ機器（ＵＥ）に送信されるべき拡張された物理ダウンリンク制御チャネル（ｅＰＤＣＣＨ）のための複数の仮想セル識別子（ＩＤ）を構成するための手段と、各仮想セルＩＤは、サービングセルの物理セルＩＤとは別個に構成され、前記ｅＰＤＣＣＨは、前記ＵＥのために構成された複数のｅＰＤＣＣＨリソースセットのうちの少なくとも２つのｅＰＤＣＣＨリソースセットに関連付けられる、
前記ｅＰＤＣＣＨを復号しようと試みるために、前記ＵＥによって使用される複数のｅＰＤＣＣＨ復号候補を前記少なくとも２つのｅＰＤＣＣＨリソースセットの間で分割するための手段と、前記分割することは、複数のｅＰＤＣＣＨ復号候補のうちの第１のｅＰＤＣＣＨ復号候補が前記少なくとも２つのｅＰＤＣＣＨリソースセットのうちの第１のｅＰＤＣＣＨリソースセットに関連付けられ、前記複数のｅＰＤＣＣＨ復号候補のうちの第２のｅＰＤＣＣＨ復号候補が前記少なくとも２つのｅＰＤＣＣＨリソースセットのうちの第２のｅＰＤＣＣＨリソースセットに関連付けられるように行われる、
前記少なくとも２つのｅＰＤＣＣＨリソースセットの各々を前記複数の仮想セルＩＤのうちの少なくとも１つの仮想セルＩＤに関連付けるための手段と、
前記第１のｅＰＤＣＣＨ復号候補のための第１の仮想セルＩＤを決定するための手段と、前記第１の仮想セルＩＤは、前記ＵＥのために構成された前記複数のｅＰＤＣＣＨリソースセットのうちの前記第１のｅＰＤＣＣＨリソースセットに関連付けられる、
前記第１の仮想セルＩＤに基づくスクランブリングシーケンスを用いて、前記ｅＰＤＣＣＨをスクランブルするための手段と、
前記第１のｅＰＤＣＣＨ復号候補を使用して、前記ＵＥに、前記スクランブルされたｅＰＤＣＣＨを送信するための手段と、
を備える、ワイヤレス通信のための装置。
【請求項２６】
第１の探索空間において拡張された物理ダウンリンク制御チャネル（ｅＰＤＣＣＨ）を復号しようと試みるために、ｅＰＤＣＣＨ復号候補の第１のセットをユーザ機器（ＵＥ）において決定するための手段と、前記ｅＰＤＣＣＨは、前記ＵＥのために構成された複数のｅＰＤＣＣＨリソースセットのうちの少なくとも２つのｅＰＤＣＣＨリソースセットに関連付けられ、前記ｅＰＤＣＣＨ復号候補の第１のセットは、複数のｅＰＤＣＣＨ復号候補を前記少なくとも２つのｅＰＤＣＣＨリソースセットの間で分割されたセットうちの１つである、
ｅＰＤＣＣＨ復号候補の前記第１のセットのための第１の仮想セル識別子（ＩＤ）を前記ＵＥにおいて決定するための手段と、前記第１の仮想セルＩＤは、サービングセルの物理セルＩＤとは別個に構成され、前記第１の仮想セルＩＤは、前記少なくとも２つのｅＰＤＣＣＨリソースセットのうちの１つに関連付けられた仮想セルＩＤである、
前記第１の仮想セルＩＤと復号候補の前記決定された第１のセットとに少なくとも部分的に基づいて、前記ｅＰＤＣＣＨを復号するための手段と、
を備える、ワイヤレス通信のための装置。
【請求項２７】
ワイヤレス通信のためのコンピュータプログラムであって、前記コンピュータプログラムが、
少なくとも１つのプロセッサによって実行されるプログラムコードを備え、前記プログラムコードが、
ユーザ機器（ＵＥ）に送信されるべき拡張された物理ダウンリンク制御チャネル（ｅＰＤＣＣＨ）のための複数の仮想セル識別子（ＩＤ）を構成するためのプログラムコードと、各仮想セルＩＤは、前記サービングセルの前記物理セルＩＤとは別個に構成され、前記ｅＰＤＣＣＨは、前記ＵＥのために構成された複数のｅＰＤＣＣＨリソースセットのうちの少なくとも２つのｅＰＤＣＣＨリソースセットに関連付けられる、
前記ｅＰＤＣＣＨを復号しようと試みるために、前記ＵＥによって使用される複数のｅＰＤＣＣＨ復号候補を前記少なくとも２つのｅＰＤＣＣＨリソースセットの間で分割するためのプログラムコードと、前記分割することは、複数のｅＰＤＣＣＨ復号候補のうちの第１のｅＰＤＣＣＨ復号候補が前記少なくとも２つのｅＰＤＣＣＨリソースセットのうちの第１のｅＰＤＣＣＨリソースセットに関連付けられ、前記複数のｅＰＤＣＣＨ復号候補のうちの第２のｅＰＤＣＣＨ復号候補が前記少なくとも２つのｅＰＤＣＣＨリソースセットのうちの第２のｅＰＤＣＣＨリソースセットに関連付けられるように行われる、
前記少なくとも２つのｅＰＤＣＣＨリソースセットの各々を前記複数の仮想セルＩＤのうちの少なくとも１つの仮想セルＩＤに関連付けるためのプログラムコードと、
前記第１のｅＰＤＣＣＨ復号候補のための第１の仮想セルＩＤを決定するためのプログラムコードと、前記第１の仮想セルＩＤは、前記ＵＥのために構成された前記複数のｅＰＤＣＣＨリソースセットのうちの前記第１のｅＰＤＣＣＨリソースセットに関連付けられる、
前記第１の仮想セルＩＤに基づくスクランブリングシーケンスを用いて、前記ｅＰＤＣＣＨをスクランブルするためのプログラムコードと、
前記第１のｅＰＤＣＣＨ復号候補を使用して、前記ＵＥに、前記スクランブルされたｅＰＤＣＣＨを送信するためのプログラムコードと、
を備える、コンピュータプログラム。
【請求項２８】
ワイヤレス通信のためのコンピュータプログラムであって、前記コンピュータプログラムが、
少なくとも１つのプロセッサによって実行されるプログラムコードを備え、前記プログラムコードが、
第１の探索空間において拡張された物理ダウンリンク制御チャネル（ｅＰＤＣＣＨ）を復号しようと試みるために、ｅＰＤＣＣＨ復号候補の第１のセットをユーザ機器（ＵＥ）において決定するためのプログラムコードと、前記ｅＰＤＣＣＨは、前記ＵＥのために構成された複数のｅＰＤＣＣＨリソースセットのうちの少なくとも２つのｅＰＤＣＣＨリソースセットに関連付けられ、前記ｅＰＤＣＣＨ復号候補の第１のセットは、複数のｅＰＤＣＣＨ復号候補を前記少なくとも２つのｅＰＤＣＣＨリソースセットの間で分割されたセットうちの１つである、
ｅＰＤＣＣＨ復号候補の前記第１のセットのための第１の仮想セル識別子（ＩＤ）を前記ＵＥにおいて決定するためのプログラムコードと、前記第１の仮想セルＩＤは、サービングセルの物理セルＩＤとは別個に構成され、前記第１の仮想セルＩＤは、前記少なくとも２つのｅＰＤＣＣＨリソースセットのうちの１つに関連付けられた仮想セルＩＤである、
前記第１の仮想セルＩＤとｅＰＤＣＣＨ復号候補の前記決定された第１のセットとに少なくとも部分的に基づいて、前記ｅＰＤＣＣＨを復号するためのプログラムコードと、
を備える、コンピュータプログラム。
【請求項２９】
メモリと、
前記メモリに結合された少なくとも１つのプロセッサと
を備える、ワイヤレス通信のための装置であって、前記少なくとも１つのプロセッサが、
ユーザ機器（ＵＥ）に送信されるべき拡張された物理ダウンリンク制御チャネル（ｅＰＤＣＣＨ）のための複数の仮想セル識別子（ＩＤ）を構成することと、各仮想セルＩＤは、サービングセルの物理セルＩＤとは別個に構成され、前記ｅＰＤＣＣＨは、前記ＵＥのために構成された複数のｅＰＤＣＣＨリソースセットのうちの少なくとも２つのｅＰＤＣＣＨリソースセットに関連付けられる、
前記ｅＰＤＣＣＨを復号しようと試みるために、前記ＵＥによって使用される複数のｅＰＤＣＣＨ復号候補を前記少なくとも２つのｅＰＤＣＣＨリソースセットの間で分割することと、前記分割することは、複数のｅＰＤＣＣＨ復号候補のうちの第１のｅＰＤＣＣＨ復号候補が前記少なくとも２つのｅＰＤＣＣＨリソースセットのうちの第１のｅＰＤＣＣＨリソースセットに関連付けられ、前記複数のｅＰＤＣＣＨ復号候補のうちの第２のｅＰＤＣＣＨ復号候補が前記少なくとも２つのｅＰＤＣＣＨリソースセットのうちの第２のｅＰＤＣＣＨリソースセットに関連付けられるように行われる、
前記少なくとも２つのｅＰＤＣＣＨリソースセットの各々を前記複数の仮想セルＩＤのうちの少なくとも１つの仮想セルＩＤに関連付けることと、
前記第１のｅＰＤＣＣＨ復号候補のための第１の仮想セルＩＤを決定することと、
前記第１の仮想セルＩＤに基づくスクランブリングシーケンスを用いて、前記ｅＰＤＣＣＨをスクランブルすることと、前記第１の仮想セルＩＤは、前記ＵＥのために構成された前記複数のｅＰＤＣＣＨリソースセットのうちの前記第１のｅＰＤＣＣＨリソースセットに関連付けられる、
前記第１のｅＰＤＣＣＨ復号候補を使用して、前記ＵＥに、前記スクランブルされたｅＰＤＣＣＨを送信することと、
を行うように構成された、装置。
【請求項３０】
前記少なくとも１つのプロセッサが、前記ｅＰＤＣＣＨを他のチャネルと周波数分割多重化するようにさらに構成された、請求項２９に記載の装置。
【請求項３１】
前記少なくとも１つのプロセッサが、前記複数の仮想セルＩＤを、物理ダウンリンク共有チャネル（ＰＤＳＣＨ）の少なくとも１つの仮想セルＩＤと同じになるように構成するようにさらに構成された、請求項２９に記載の装置。
【請求項３２】
前記少なくとも１つのプロセッサが、前記複数の仮想セルＩＤを、物理ダウンリンク共有チャネル（ＰＤＳＣＨ）の少なくとも１つの仮想セルＩＤとは別個に構成するようにさらに構成された、請求項２９に記載の装置。
【請求項３３】
前記少なくとも１つプロセッサが、前記複数の仮想セルＩＤを、前記ＵＥにシグナリングするようにさらに構成された、請求項２９に記載の装置。
【請求項３４】
前記少なくとも１つのプロセッサが、前記第１の仮想セルＩＤを、送信された基準信号に関連付けるようにさらに構成された、請求項２９に記載の装置。
【請求項３５】
前記少なくとも１つのプロセッサが、
前記第２のｅＰＤＣＣＨ復号候補ための第２の仮想セルＩＤを決定することと、前記第２の仮想セルＩＤは、前記第２のｅＰＤＣＣＨリソースセットに関連付けられる、
前記第２の仮想セルＩＤに基づくスクランブリングシーケンスを用いて、前記ｅＰＤＣＣＨをスクランブルすることと、前記第２の仮想セルＩＤは、前記第１の仮想セルＩＤと異なる、
前記第２のｅＰＤＣＣＨ復号候補を使用して、前記スクランブルされたｅＰＤＣＣＨを送信することと、
を行うようにさらに構成された、請求項２９に記載の装置。
【請求項３６】
前記少なくとも１つのプロセッサが、
前記第１のｅＰＤＣＣＨ復号候補を局所化されたｅＰＤＣＣＨ送信に関連付けることと、
前記第２のｅＰＤＣＣＨ復号候補を分散されたｅＰＤＣＣＨ送信に関連付けることと、
を行うようにさらに構成された、請求項３５に記載の装置。
【請求項３７】
前記少なくとも１つのプロセッサが、
前記第１のｅＰＤＣＣＨ復号候補を、前記第１のｅＰＤＣＣＨリソースセットに関連付け、前記第２のｅＰＤＣＣＨ復号候補を、前記第２のｅＰＤＣＣＨリソースセットに関連付ける、
ようにさらに構成された、請求項３５に記載の装置。
【請求項３８】
前記第１のｅＰＤＣＣＨ復号候補が第１のセルから送信され、前記第２のｅＰＤＣＣＨ復号候補が第２のセルから送信される、請求項３５に記載の装置。
【請求項３９】
前記少なくとも１つのプロセッサが、
複数のｅＰＤＣＣＨリソースセットを構成すること、
を行うようにさらに構成された、請求項２９に記載の装置。
【請求項４０】
前記スクランブルされた第１のｅＰＤＣＣＨが複数のセルから送信される、請求項２９に記載の装置。
【請求項４１】
メモリと、
前記メモリに結合された少なくとも１つのプロセッサと
を備える、ワイヤレス通信のためのユーザ機器（ＵＥ）であって、前記少なくとも１つのプロセッサが、
第１の探索空間において拡張された物理ダウンリンク制御チャネル（ｅＰＤＣＣＨ）の復号を試みるために、ｅＰＤＣＣＨ復号候補の第１のセットを決定すること、前記ｅＰＤＣＣＨは、前記ＵＥのために構成された複数のｅＰＤＣＣＨリソースセットのうちの少なくとも２つのｅＰＤＣＣＨリソースセットに関連付けられ、前記ｅＰＤＣＣＨ復号候補の第１のセットは、複数のｅＰＤＣＣＨ復号候補を前記少なくとも２つのｅＰＤＣＣＨリソースセットの間で分割されたセットうちの１つである、
ｅＰＤＣＣＨ復号候補の前記第１のセットのための第１の仮想セル識別子（ＩＤ）を決定することと、前記第１の仮想セルＩＤは、サービングセルの物理セルＩＤとは別個に構成され、前記第１の仮想セルＩＤは、前記少なくとも２つのｅＰＤＣＣＨリソースセットのうちの１つに関連付けられた仮想セルＩＤである、
前記第１の仮想セルＩＤと復号候補の前記決定された第１のセットとに少なくとも部分的に基づいて、前記ｅＰＤＣＣＨを復号することと、
を行うように構成された、ＵＥ。
【請求項４２】
前記ｅＰＤＣＣＨが前記第１の仮想セルＩＤによってスクランブルされる、請求項４１に記載のＵＥ。
【請求項４３】
前記第１の仮想セルＩＤが、物理ダウンリンク共有チャネル（ＰＤＳＣＨ）の少なくとも１つの仮想セルＩＤと同じである、請求項４１に記載のＵＥ。
【請求項４４】
前記第１の仮想セルＩＤが、物理ダウンリンク共有チャネル（ＰＤＳＣＨ）の少なくとも１つの仮想セルＩＤとは異なる、請求項４１に記載のＵＥ。
【請求項４５】
前記少なくとも１つのプロセッサが、
第２の探索空間において前記ｅＰＤＣＣＨを復号しようと試みるために、ｅＰＤＣＣＨ復号候補の第２のセットを決定することと、
復号候補の前記第２のセットのための第２の仮想セルＩＤを決定することと、
前記第２の仮想セルＩＤと復号候補の前記決定された第２のセットとに少なくとも部分的に基づいて、前記ｅＰＤＣＣＨを復号することと、
を行うようにさらに構成された、請求項４１に記載のＵＥ。
【請求項４６】
ｅＰＤＣＣＨ復号候補の前記第１のセットの前記ｅＰＤＣＣＨが局所化されたｅＰＤＣＣＨ送信であり、ｅＰＤＣＣＨ復号候補の前記第２のセットの前記ｅＰＤＣＣＨが分散されたｅＰＤＣＣＨ送信である、請求項４５に記載のＵＥ。
【請求項４７】
ｅＰＤＣＣＨ復号候補の前記第１のセットの前記ｅＰＤＣＣＨが第１のセルから受信され、ｅＰＤＣＣＨ復号候補の前記第２のセットの前記ｅＰＤＣＣＨが第２セルから受信される、請求項４５に記載のＵＥ。
【請求項４８】
前記ｅＰＤＣＣＨが前記第２の仮想セルＩＤによってスクランブルされる、請求項４５に記載のＵＥ。
【請求項４９】
前記少なくとも１つのプロセッサが、ｅＰＤＣＣＨ復号候補の前記第１のセットを、第１のｅＰＤＣＣＨリソースセットに関連付け、ｅＰＤＣＣＨ復号候補の前記第２のセットを、第２のｅＰＤＣＣＨリソースセットに関連付けるようにさらに構成された、請求項４５に記載のＵＥ。
【請求項５０】
前記ｅＰＤＣＣＨが複数のセルから受信される、請求項４１に記載のＵＥ。
【請求項５１】
前記少なくとも１つのプロセッサが、
前記少なくとも２つのｅＰＤＣＣＨリソースセットの構成を受信すること、
を行うようにさらに構成された、請求項４１に記載のＵＥ。
【請求項５２】
前記少なくとも１つのプロセッサが、
少なくとも１つの構成された仮想セルＩＤを受信することと、
前記受信された少なくとも１つの構成された仮想セルＩＤに少なくとも部分的に基づいて、前記第１の仮想セルＩＤを決定することと、
を行うようにさらに構成された、請求項４１に記載のＵＥ。
【発明の詳細な説明】
【技術分野】
【０００１】
関連出願の相互参照
本出願は、その開示の全体が参照により本明細書に明確に組み込まれる、２０１１年１２月２９日出願された「PROCESSING ENHANCED PDCCH (EPDCCH) IN LTE」と題する米国仮特許出願第６１／５８１，４８７号、および２０１２年９月２８日出願された、「PROCESSING ENHANCED PDCCH (EPDCCH) IN LTE」と題する仮特許出願第６１／７０７，７０５号に対する米国特許法第１１９条（ｅ）項に基づく利益を主張する。
【０００２】
本開示の態様は、一般にワイヤレス通信システムに関し、より詳細には、仮想セルＩＤに基づいて拡張されたＰＤＣＣＨ（ｅＰＤＣＣＨ）を処理することに関する。
【背景技術】
【０００３】
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。ワイヤレス通信ネットワークは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００４】
基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信器からの干渉に遭遇することがある。この干渉は、ダウンリンクとアップリンクの両方でパフォーマンスを劣化させることがある。
【０００５】
モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００６】
本開示の一態様によれば、ワイヤレス通信の方法は、ユーザ機器（ＵＥ）のための少なくとも１つの仮想セル識別子（ＩＤ）を構成することを含む。本方法はまた、ＵＥのための拡張された物理ダウンリンク制御チャネル（ｅＰＤＣＣＨ：enhanced physical downlink control channel）のための第１の候補を決定することを含む。本方法は、第１の候補のための第１の仮想セルＩＤを決定することをさらに含む。本方法はまた、第１の仮想セルＩＤに基づいてｅＰＤＣＣＨをスクランブルすることをさらに含む。本方法はまた、第１の候補を使用して、スクランブルされたｅＰＤＣＣＨをＵＥに送信することを含む。
【０００７】
本開示の別の態様によれば、ワイヤレス通信の方法が提示される。本方法は、拡張された物理ダウンリンク制御チャネル（ｅＰＤＣＣＨ）のための復号候補の第１のセットを決定することを含む。本方法はまた、復号候補の第１のセットのための第１の仮想セル識別子（ＩＤ）を決定することを含む。本方法は、第１の仮想セルＩＤと復号候補の決定された第１のセットとに少なくとも部分的に基づいてｅＰＤＣＣＨを復号することをさらに含む。
【０００８】
また別の構成によれば、ワイヤレス通信のための装置が提示される。本装置は、ユーザ機器（ＵＥ）のための少なくとも１つの仮想セル識別子（ＩＤ）を構成するための手段を含む。本装置はまた、ＵＥのための拡張された物理ダウンリンク制御チャネル（ｅＰＤＣＣＨ）のための第１の候補を決定するための手段を含む。本装置は、第１の候補のための第１の仮想セルＩＤを決定するための手段をさらに含む。本装置はまた、第１の仮想セルＩＤに基づいてｅＰＤＣＣＨをスクランブルするための手段をさらに含む。本装置はまた、第１の候補を使用して、スクランブルされたｅＰＤＣＣＨをＵＥに送信するための手段を含む。
【０００９】
別の構成によれば、ワイヤレス通信のための装置が提示される。本装置は、拡張された物理ダウンリンク制御チャネル（ｅＰＤＣＣＨ）のための復号候補の第１のセットを決定するための手段を含む。本装置はまた、候補の第１のセットのための第１の仮想セル識別子（ＩＤ）を決定するための手段を含む。本装置は、第１の仮想セルＩＤと復号候補の決定された第１のセットとに少なくとも部分的に基づいてｅＰＤＣＣＨを復号するための手段をさらに含む。
【００１０】
また別の構成によれば、ワイヤレス通信のためのコンピュータプログラム製品が提示される。本コンピュータプログラム製品は、プログラムコードを記録した非一時的コンピュータ可読媒体を含む。プログラムコードは、ユーザ機器（ＵＥ）のための少なくとも１つの仮想セル識別子（ＩＤ）を構成するためのプログラムコードを含む。プログラムコードはまた、ＵＥのための拡張された物理ダウンリンク制御チャネル（ｅＰＤＣＣＨ）のための第１の候補を決定するためのプログラムコードを含む。プログラムコードは、第１の候補のための第１の仮想セルＩＤを決定するためのプログラムコードをさらに含む。プログラムコードはまた、第１の仮想セルＩＤに基づいてｅＰＤＣＣＨをスクランブルするためのプログラムコードをさらに含む。プログラムコードはまた、第１の候補を使用して、スクランブルされたｅＰＤＣＣＨをＵＥに送信するためのプログラムコードを含む。
【００１１】
さらにまた別の構成によれば、ワイヤレス通信のためのコンピュータプログラム製品が提示される。本コンピュータプログラム製品は、プログラムコードを記録した非一時的コンピュータ可読媒体を含む。プログラムコードは、拡張された物理ダウンリンク制御チャネル（ｅＰＤＣＣＨ）のための復号候補の第１のセットを決定するためのプログラムコードを含む。プログラムコードはまた、復号候補の第１のセットのための第１の仮想セル識別子（ＩＤ）を決定するためのプログラムコードを含む。プログラムコードは、第１の仮想セルＩＤと復号候補の決定された第１のセットとに少なくとも部分的に基づいてｅＰＤＣＣＨを復号するためのプログラムコードをさらに含む。
【００１２】
別の構成によれば、ワイヤレス通信のための装置が提示される。プログラムコードは、メモリと、メモリに結合された（１つまたは複数の）プロセッサとを含む。（１つまたは複数の）プロセッサは、ユーザ機器（ＵＥ）のための少なくとも１つの仮想セル識別子（ＩＤ）を構成するように構成される。（１つまたは複数の）プロセッサはまた、ＵＥのための拡張された物理ダウンリンク制御チャネル（ｅＰＤＣＣＨ）のための第１の候補を決定するように構成される。（１つまたは複数の）プロセッサは、第１の候補のための第１の仮想セルＩＤを決定するようにさらに構成される。（１つまたは複数の）プロセッサはまた、第１の仮想セルＩＤに基づいてｅＰＤＣＣＨをスクランブルするようにさらに構成される。（１つまたは複数の）プロセッサはまた、第１の候補を使用して、スクランブルされたｅＰＤＣＣＨをＵＥに送信するように構成される。
【００１３】
別の構成によれば、ワイヤレス通信のための装置が提示される。プログラムコードは、メモリと、メモリに結合された（１つまたは複数の）プロセッサとを含む。（１つまたは複数の）プロセッサは、拡張された物理ダウンリンク制御チャネル（ｅＰＤＣＣＨ）のための復号候補の第１のセットを決定するように構成される。（１つまたは複数の）プロセッサはまた、復号候補の第１のセットのための第１の仮想セル識別子（ＩＤ）を決定するように構成される。（１つまたは複数の）プロセッサは、第１の仮想セルＩＤと復号候補の決定された第１のセットとに少なくとも部分的に基づいてｅＰＤＣＣＨを復号するようにさらに構成される。
【００１４】
以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１５】
本開示の特徴、特性、および利点は、全体を通じて同様の参照符号が同様のものを指す図面とともに、以下に記載する発明を実施するための形態を読めばより明らかになろう。
【図面の簡単な説明】
【００１６】
【図１】電気通信システムの一例を概念的に示すブロック図。
【図２】電気通信システムにおけるダウンリンクフレーム構造の一例を概念的に示す図。
【図３】アップリンク通信における例示的なフレーム構造を概念的に示すブロック図。
【図４】本開示の一態様に従って構成された基地局／ｅノードＢおよびＵＥの設計を概念的に示すブロック図。
【図５】リモートラジオヘッドを含むネットワークを概念的に示すブロック図。
【図６】本開示の一態様による、ｅＰＤＣＣＨを処理するための方法を示すブロック図。
【図７】例示的な装置中の異なる構成要素を示すブロック図。
【詳細な説明】
【００１７】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１８】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）および他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、Ｅｖｏｌｖｅｄ  ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡ技術およびＥ−ＵＴＲＡ技術は、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥ−Ａｄｖａｎｃｅｄ（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と呼ばれる団体からの文書に記載されている。ＣＤＭＡ２０００（登録商標）およびＵＭＢは、「第３世代パートナーシッププロジェクト２」（３ＧＰＰ２）と呼ばれる団体からの文書に記載されている。本明細書で説明する技法は、上記のワイヤレスネットワークおよび無線アクセス技術、ならびに他のワイヤレスネットワークおよび無線アクセス技術に使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００１９】
図１に、ｅＰＤＣＣＨを処理するように構成された、ＬＴＥ−Ａネットワークであり得るワイヤレス通信ネットワーク１００を示す。ワイヤレスネットワーク１００は、いくつかの発展型ノードＢ（ｅノードＢ）１１０と他のネットワークエンティティとを含む。ｅノードＢは、ＵＥと通信する局であり得、基地局、ノードＢ、アクセスポイントなどと呼ばれることもある。各ｅノードＢ１１０は、特定の地理的エリアに通信カバレージを与え得る。３ＧＰＰでは、「セル」という用語は、この用語が使用されるコンテキストに応じて、ｅノードＢのこの特定の地理的カバレージエリアおよび／またはこのカバレージエリアをサービスするｅノードＢサブシステムを指すことがある。
【００２０】
ｅノードＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスを可能にし得る。マクロセルのためのｅノードＢはマクロｅノードＢと呼ばれることがある。ピコセルのためのｅノードＢはピコｅノードＢと呼ばれることがある。また、フェムトセルのためのｅノードＢはフェムトｅノードＢまたはホームｅノードＢと呼ばれることがある。図１に示す例では、ｅノードＢ１１０ａ、１１０ｂおよび１１０ｃは、それぞれマクロセル１０２ａ、１０２ｂおよび１０２ｃのためのマクロｅノードＢである。ｅノードＢ１１０ｘは、ピコセル１０２ｘのためのピコｅノードＢである。また、ｅノードＢ１１０ｙおよび１１０ｚは、それぞれフェムトセル１０２ｙおよび１０２ｚのためのフェムトｅノードＢである。ｅノードＢは、１つまたは複数の（たとえば、２つ、３つ、４つなどの）セルをサポートし得る。
【００２１】
ワイヤレスネットワーク１００はまた、中継局を含み得る。中継局は、上流局（たとえば、ｅノードＢ、ＵＥなど）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示す例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、リレーｅノードＢ、リレーなどと呼ばれることもある。
【００２２】
ワイヤレスネットワーク１００は、様々なタイプのｅノードＢ、たとえば、マクロｅノードＢ、ピコｅノードＢ、フェムトｅノードＢ、リレーなどを含む異種ネットワークであり得る。これらの様々なタイプのｅノードＢは、様々な送信電力レベル、様々なカバレージエリア、およびワイヤレスネットワーク１００中の干渉に対する様々な影響を有し得る。たとえば、マクロｅノードＢは、高い送信電力レベル（たとえば、２０ワット）を有し得るが、ピコｅノードＢ、フェムトｅノードＢ、およびリレーは、より低い送信電力レベル（たとえば、１ワット）を有し得る。
【００２３】
ワイヤレスネットワーク１００は、同期動作または非同期動作をサポートし得る。同期動作の場合、ｅノードＢは同様のフレームタイミングを有し得、異なるｅノードＢからの送信は近似的に時間的に整合され得る。非同期動作の場合、ｅＰＤＣＣＨとＰＤＳＣＨとは同じセルから送られるので、それらは時間的に整合される。ＣＲＳが、異なるタイミングオフセットをもつ異なるセルから来ている場合、ＣＲＳを使用する手順は、他のセルのタイミングに依拠する（たとえば第２のＦＦＴによる）。本明細書で説明する技法は、同期動作または非同期動作のいずれかのために使用され得る。
【００２４】
一態様では、ワイヤレスネットワーク１００は、周波数分割複信（ＦＤＤ）動作モードまたは時分割複信（ＴＤＤ）動作モードをサポートし得る。本明細書で説明する技法は、ＦＤＤ動作モードまたはＴＤＤ動作モードのために使用され得る。
【００２５】
ネットワークコントローラ１３０は、ｅノードＢ１１０のセットに結合し、これらのｅノードＢ１１０の協調および制御を行い得る。ネットワークコントローラ１３０は、バックホールを介してｅノードＢ１１０と通信し得る。ｅノードＢ１１０はまた、たとえば、ワイヤレスバックホールまたはワイヤラインバックホールを介して直接または間接的に互いに通信し得る。
【００２６】
ＵＥ１２０（たとえば、ＵＥ１２０ｘ、ＵＥ１２０ｙなど）はワイヤレスネットワーク１００全体にわたって分散され、各ＵＥは固定またはモバイルであり得る。ＵＥは、端末、ユーザ端末、移動局、加入者ユニット、局などと呼ばれることもある。ＵＥは、セルラーフォン（たとえば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、ネットブック、スマートブックなどであり得る。ＵＥは、マクロｅノードＢ、ピコｅノードＢ、フェムトｅノードＢ、リレーなどと通信することが可能であり得る。図１において、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉する送信を示す。
【００２７】
ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭの場合は周波数領域で、ＳＣ−ＦＤＭの場合は時間領域で送られる。隣接するサブキャリア間の間隔は固定であり得、サブキャリアの総数（Ｋ）はシステム帯域幅に依存し得る。
【００２８】
図２に、ＬＴＥにおいて使用されるダウンリンクＦＤＤフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２９】
ＬＴＥでは、ｅノードＢは、ｅノードＢ中の各セルについて１次同期信号（ＰＳＣまたはＰＳＳ：primary synchronization signal）と２次同期信号（ＳＳＣまたはＳＳＳ：secondary synchronization signal）とを送り得る。ＦＤＤ動作モードの場合、１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ＦＤＤ動作モードの場合、ｅノードＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００３０】
ｅノードＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である小さいシステム帯域幅では、４に等しくなり得る。図２に示す例では、Ｍ＝３である。ｅノードＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。また、図２に示す例では、ＰＤＣＣＨおよびＰＨＩＣＨは最初の３つのシンボル期間中に含まれている。ＰＨＩＣＨは、ハイブリッド自動再送要求（ＨＡＲＱ：hybrid automatic repeat request）をサポートするための情報を搬送し得る。ＰＤＣＣＨは、ＵＥのためのアップリンクおよびダウンリンクリソース割当てに関する情報と、アップリンクチャネルのための電力制御情報とを搬送し得る。ｅノードＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信がスケジュールされたＵＥについてのデータを搬送し得る。
【００３１】
ｅノードＢは、ｅノードＢによって使用されるシステム帯域幅の中心１．０８ＭＨｚにおいてＰＳＣ、ＳＳＣおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分においてＵＥのグループにＰＤＳＣＨを送り得る。ｅノードＢは、すべてのＵＥにブロードキャスト方式でＰＳＣ、ＳＳＣ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方式でＰＤＳＣＨを送り得る。
【００３２】
各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。制御チャネルのために使用されるシンボルの場合、各シンボル期間中に基準信号のために使用されないリソース要素は、リソース要素グループ（ＲＥＧ）に構成され得る。各ＲＥＧは、１つのシンボル期間中の４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨ用の３つのＲＥＧは、すべてシンボル期間０中に属し得るか、またはシンボル期間０、１および２中で拡散され得る。ＰＤＣＣＨは、最初のＭ個のシンボル期間において、利用可能なＲＥＧから選択され得る、９、１８、３６または７２個のＲＥＧを占有し得る。ＲＥＧのいくつかの組合せのみがＰＤＣＣＨに対して可能にされ得る。
【００３３】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨ中のすべてのＵＥに対して可能にされた組合せの数よりも少ない。ｅノードＢは、ＵＥが探索することになる組合せのいずれかにおいてＵＥにＰＤＣＣＨを送り得る。
【００３４】
ＵＥは、複数のｅノードＢのカバレージ内にあり得る。そのＵＥをサービスするために、これらのｅノードＢのうちの１つが選択され得る。サービングｅノードＢは、受信電力、経路損失、信号対雑音比（ＳＮＲ）など、様々な基準に基づいて選択され得る。
【００３５】
図３は、アップリンクロングタームエボリューション（ＬＴＥ）通信における例示的なＦＤＤおよびＴＤＤ（特殊ではないサブフレームのみ）サブフレーム構造を概念的に示すブロック図である。アップリンクのために利用可能なリソースブロック（ＲＢ）は、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図３の設計は、データセクション中の連続するサブキャリアのすべてを単一のＵＥに割り当てることを可能にし得る連続サブキャリアを含むデータセクションを生じる。
【００３６】
ＵＥは、ｅノードＢに制御情報を送信するために制御セクション中のリソースブロックが割り当てられ得る。ＵＥはまた、ｅノードＢにデータを送信するためにデータセクション中のリソースブロックが割り当てられ得る。ＵＥは、制御セクション中の割り当てられたリソースブロック上の物理アップリンク制御チャネル（ＰＵＣＣＨ：Physical Uplink Control Channel）中で制御情報を送信し得る。ＵＥは、データセクション中の割り当てられたリソースブロック上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図３に示すように周波数上でホッピングし得る。一態様によれば、緩やかなシングルキャリア動作（relaxed single carrier operation）では、並列チャネルはＵＬリソース上で送信され得る。たとえば、制御およびデータチャネル、並列制御チャネル、ならびに並列データチャネルがＵＥによって送信され得る。
【００３７】
ＰＳＣ（１次同期キャリア：primary synchronization carrier）、ＳＳＣ（２次同期キャリア：secondary synchronization carrier）、ＣＲＳ（共通基準信号：common reference signal）、ＰＢＣＨ、ＰＵＣＣＨ、ＰＵＳＣＨ、およびＬＴＥ／−Ａにおいて使用される他のそのような信号およびチャネルは、公開されている「Evolved Universal Terrestrial Radio Access (E-UTRA); Physical Channels and Modulation」と題する３ＧＰＰ  ＴＳ  ３６．２１１に記載されている。
【００３８】
図４に、図１の基地局／ｅノードＢのうちの１つであり得る基地局／ｅノードＢ１１０および図１のＵＥのうちの１つであり得るＵＥ１２０の設計のブロック図を示す。たとえば、基地局１１０は、図１のマクロｅノードＢ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００３９】
基地局１１０において、送信プロセッサ４２０は、データソース４１２からデータを受信し、コントローラ／プロセッサ４４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ４２０は、データと制御情報とを処理（たとえば、符号化およびシンボルマッピング）して、それぞれデータシンボルと制御シンボルとを取得し得る。プロセッサ４２０はまた、たとえば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、（たとえば、ＯＦＤＭなどの）それぞれの出力シンボルストリームを処理して、出力サンプルストリームを取得し得る。各変調器４３２はさらに、出力サンプルストリームを処理（たとえば、アナログへの変換、増幅、フィルタ処理、およびアップコンバート）して、ダウンリンク信号を取得し得る。変調器４３２ａ〜４３２ｔからのダウンリンク信号は、それぞれアンテナ４３４ａ〜４３４ｔを介して送信され得る。
【００４０】
ＵＥ１２０において、アンテナ４５２ａ〜４５２ｒは、基地局１１０からダウンリンク信号を受信し得、受信された信号をそれぞれ復調器（ＤＥＭＯＤ）４５４ａ〜４５４ｒに与え得る。各復調器４５４は、それぞれの受信された信号を調整（たとえば、フィルタ処理、増幅、ダウンコンバート、およびデジタル化）して、入力サンプルを取得し得る。各復調器４５４は、さらに、（たとえば、ＯＦＤＭなどの）入力サンプルを処理して、受信されたシンボルを取得し得る。ＭＩＭＯ検出器４５６は、すべての復調器４５４ａ〜４５４ｒから受信されたシンボルを取得し、適用可能な場合は受信シンボルに対してＭＩＭＯ検出を実行し、検出されたシンボルを与え得る。受信プロセッサ４５８は、検出されたシンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００４１】
アップリンク上では、ＵＥ１２０において、送信プロセッサ４６４は、データソース４６２から（たとえば、ＰＵＳＣＨのための）データを受信し、処理し得、コントローラ／プロセッサ４８０から（たとえば、ＰＵＣＣＨのための）制御情報を受信し、処理し得る。プロセッサ４６４はまた、基準信号のための基準シンボルを生成し得る。送信プロセッサ４６４からのシンボルは、適用可能な場合はＴＸ  ＭＩＭＯプロセッサ４６６によってプリコードされ、さらに（たとえば、ＳＣ−ＦＤＭなどのために）変調器４５４ａ〜４５４ｒによって処理され、基地局１１０に送信され得る。基地局１１０において、ＵＥ１２０からのアップリンク信号は、アンテナ４３４によって受信され、復調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。プロセッサ４３８は、復号されたデータをデータシンク４３９に与え、復号された制御情報をコントローラ／プロセッサ４４０に与え得る。基地局１１０は、たとえば、Ｘ２インターフェース４４１を介して他の基地局にメッセージを送ることができる。
【００４２】
コントローラ／プロセッサ４４０および４８０は、それぞれ基地局１１０およびＵＥ１２０における動作を指示し得る。基地局１１０／ＵＥ１２０におけるプロセッサ４４０／４８０および／または他のプロセッサならびにモジュールは、図６の方法フローチャートに示す機能ブロック、および／または本明細書で説明する技法のための他のプロセスを実行するか、またはその実行を指示し得る。メモリ４４２および４８２は、それぞれ基地局１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００４３】
ＬＴＥにおける拡張されたＰＤＣＣＨ（ｅＰＤＣＣＨ）のためのセル切替え
ＬＴＥリリース８／９／１０では、物理ダウンロード制御チャネル（ＰＤＣＣＨ）など、制御チャネルは、サブフレーム中の第１のいくつかのシンボル中にあり、システム帯域幅全体に分散される。ＰＤＣＣＨなど、制御チャネルは、サブフレームを制御領域とデータ領域とに分割するために、物理ダウンリンク共有チャネル（ＰＤＳＣＨ）など、共有チャネルと時分割多重化される。
【００４４】
ＬＴＥリリース１１（Ｒｅｌ−１１）は、データ領域を占有するように構成された拡張された物理ダウンリンク制御チャネル（ｅＰＤＣＣＨ）を含む。すなわち、ｅＰＤＣＣＨなど、拡張された制御チャネルは、拡張された制御チャネルがサブフレームのデータ領域を占有するように、共有チャネルと周波数分割多重化される。いくつかの構成では、拡張された制御チャネルはまた、制御チャネル容量を増加させること、周波数領域干渉協調および消去（ＩＣＩＣ）をサポートすること、（１つまたは複数の）制御チャネルリソースの改善された空間再利用を達成すること、ビームフォーミングおよび／またはダイバーシティをサポートすること、新しいキャリアタイプ上およびＭＢＳＦＮサブフレームにおいて動作すること、および／またはレガシーＵＥと同じキャリア上で共存することを行うように構成され得る。
【００４５】
リリース１１では、協調された多地点送信（coordinated multipoint transmission: ＣｏＭＰ）方式がサポートされる。ＣｏＭＰ方式は、全体的な通信性能を改善するための干渉緩和技法を与える。すなわち、ＣｏＭＰの場合、ｅノードＢなど、複数の基地局が、１つまたは複数のＵＥにダウンリンク上でデータを送信するために共同する。さらに、ＣｏＭＰの場合、複数の基地局が、１つまたは複数のＵＥからアップリンク上で受信し得る。ダウンリンクＣｏＭＰとアップリンクＣｏＭＰとは、ＵＥに対して別々にまたは一緒に使用可能にされ得る。
【００４６】
１つのＣｏＭＰ構成では、ダウンリンクＣｏＭＰの場合、複数のｅノードＢが、特定のＵＥのための同じデータを送信し得る。別のＣｏＭＰ構成では、アップリンクＣｏＭＰの場合、複数のｅノードＢが、特定のＵＥから同じデータを受信する。また別のＣｏＭＰ構成では、協調されたビームフォーミングの場合、ｅノードＢは、近隣セル中のＵＥへの干渉を低減するために選定されたビームを使用して、被サービスＵＥに送信する。さらに別のＣｏＭＰ構成では、（１つまたは複数の）動的ポイント選択の場合、データ送信に関与する（１つまたは複数の）セルはサブフレームごとに変わり得る。ＣｏＭＰは、同種ネットワークおよび／または異種ネットワーク（ＨｅｔＮｅｔ）中に存在し得る。ＣｏＭＰに関与するノード間の接続は、Ｘ２、ファイバー、または別のインターフェースであり得る。異種ネットワークＣｏＭＰでは、低電力ノードはリモートラジオヘッド（remote radio heads： ＲＲＨ）を含み得る。
【００４７】
図５に、セル５１２によって定義されるカバレージエリアを有する、ｅノードＢなど、マクロ基地局５１０を含むネットワーク５００を示す。ネットワークはまた、それぞれのセル５２２ａ〜５２２ｄによって定義されるカバレージエリアをもつリモートラジオヘッド５２０ａ〜５２０ｄを含む。ＵＥ（ＵＥ１〜ＵＥ７）は様々なｅＮＢ／ＲＲＨと通信する。図５に示すように、ＵＥ１は、ＲＲＨ１  ５２０ａから制御およびデータシグナリングを受信し、ＵＥ５は、ＲＲＨ２  ５２０ｂから制御およびデータシグナリングを受信し、ＵＥ２、ＵＥ４、およびＵＥ７は、ｅＮＢ１  ５１０から制御シグナリングとデータシグナリングの両方を受信する。ただし、ＵＥ３は、ＲＲＨ４  ５２０ｄからデータシグナリングを受信しながら、マクロ基地局５１０から制御シグナリングを受信する。
【００４８】
従来は、ＰＤＳＣＨなど、共有チャネルは、送信セルの物理セルＩＤ（ＰＣＩ）に関連付けられる。たとえば、共有チャネルのためのスクランブリングシーケンスは、送信セルの物理セルＩＤに基づいて、シード（seed）を用いて初期化され得る。様々なＣｏＭＰシナリオの場合、共有チャネルは、仮想セルＩＤを使用して送信され得る。たとえば、セル中の共有チャネルおよび制御チャネルのためのスクランブリングシーケンスは、仮想セルＩＤに基づいてシードを用いて初期化され得る。仮想セルＩＤは、セルＩＤと同じであることも同じでないこともある。仮想セルＩＤは、（１つまたは複数の）動的ポイント切替え、分離された制御およびデータ、セル中のマルチユーザＭＩＭＯ（ＭＵ−ＭＩＭＯ）など、ＣｏＭＰおよびＭＩＭＯ動作のために指定され得る。
【００４９】
場合によっては、共有チャネルが第２のセル（たとえば、セル５１２）によってではなく第１のセル（たとえば、セル５２２ｂ）によってサービスされるとき、対応する制御チャネルはまた、第１のセル（たとえば、セル５２２ｂ）から送信される。さらに、場合によっては、制御送信およびデータ送信はセル間で分割され得る。たとえば、異種ネットワークにおいて、セルオフローディング（cell offloading）は、第２のセル（たとえば、セル５１２）から共有チャネルをサービスする代わりに、第１のセル（たとえば、セル５２２ｂ）から共有チャネルをサービスするための１つの理由である。特に、第２のセルが最も強い、受信された基準信号の電力（ＲＳＲＰ：reference signal received power）を有し得るにもかかわらず、共有チャネルは、セルオフローディングにより第１のセルにオフロードされる。同じセルオフローディングはまた、制御チャネルに適用され得る。異なるセルからの制御およびデータは、制御およびデータのための受信タイミングが不整合であり得ることを暗示するが、依然として、不整合は、制御およびデータチャネル送信のタイミングを整合することによって緩和され得る。
【００５０】
ダウンリンク送信のための肯定応答／否定応答（ＡＣＫ／ＮＡＫ）リソースは、レガシー制御チャネルの機能であり、一態様では、また、拡張された制御チャネルの機能であり得る。たとえば、一構成では、（１つまたは複数の）同じセルからの制御およびデータチャネルは、同じセル上でのＡＣＫ／ＮＡＫリソース管理を可能にする。
【００５１】
さらに、いくつかの構成では、制御およびデータ送信は、（共有チャネルから干渉を受けることがある）レガシー制御チャネルの電力制御と比較して、拡張された制御チャネルの改善された電力制御のために分割され得る。制御およびデータ送信の分割はまた、拡張された制御チャネルのための（１つまたは複数の）プリコーディング動作を改善し得る。
【００５２】
本開示の一態様は、ＰＤＳＣＨなど、共有チャネル切替えとともに、ｅＰＤＣＣＨなど、拡張された制御チャネル切替えを使用可能にすることを対象とする。上記で説明したように、制御チャネルは、送信セルの物理セルＩＤに関連付けられ得る。スクランブリングシーケンスとリソースマッピングの置換の両方が、送信セルの物理セルＩＤの機能である。
【００５３】
特に、一構成では、ｅノードＢは、セル５２２ｂなど、第１の物理セルＩＤを有する第１のセルから拡張された制御チャネルを送信し、拡張された制御チャネルは、第２のセルの第２の物理セルＩＤに基づいてスクランブルされる。第１の物理セルＩＤは第２の物理セルＩＤと同じではない。拡張された制御チャネルはＵＥ基準信号（ＲＳ）によって復調される。また、スクランブリングシーケンスは第２の物理セルＩＤに基づく。第１のセルは、第２の物理セルＩＤによって構成された拡張された制御チャネル復号候補のうちの１つを使用して、拡張された制御チャネルを送信する。すなわち、拡張された制御チャネルに関連付けられた領域は第２の物理セルＩＤによって定義される。
【００５４】
さらに、拡張された制御チャネルは、周波数分割多重（ＦＤＭ）方式で第１のセル中の他のチャネルと直交化され得る。さらに、拡張された制御チャネルは、著しい性能劣化がないとき、同じリソースブロック中の第１のセル中の他のチャネルと多重化され得る。
【００５５】
本開示の別の態様では、（１つまたは複数の）仮想セルＩＤ（たとえば、（１つまたは複数の）仮想物理セルＩＤ）が、ｅＰＤＣＣＨなど、拡張された制御チャネルのために定義され得る。一態様では、拡張された制御チャネルのための（１つまたは複数の）仮想セルＩＤのセットは、共有チャネルのための（１つまたは複数の）仮想セルＩＤのセットと同じである。代替的に、拡張された制御チャネルのための（１つまたは複数の）仮想セルＩＤのセットは、共有チャネルのための（１つまたは複数の）仮想セルＩＤのセットとは別個に構成され得る。拡張された制御チャネルのための（１つまたは複数の）仮想セルＩＤのセットが別個に構成されるとき、ＵＥは、拡張された制御チャネルのための（１つまたは複数の）仮想セルＩＤのセットをシグナリングされる。（１つまたは複数の）仮想セルＩＤのセットのシグナリングは他のシグナリングとは別個であり得る。一例では、（１つまたは複数の）仮想セルＩＤは、無線リソース制御（ＲＲＣ）シグナリングを介してＵＥにシグナリングされる。使用中の仮想セルＩＤは、拡張された制御チャネル送信と、拡張された制御チャネル送信に関連付けられた基準信号とにも適用可能である。
【００５６】
一構成では、２つ以上の仮想セルＩＤがＵＥの拡張された制御チャネルのために定義され得る。定義された２つ以上の仮想セルＩＤがあるとき、ＵＥは、複数の仮想セルＩＤに基づいて拡張された制御チャネルを探さなければならない。言い換えれば、他の条件が同じままであるとき、ブラインド復号の最大数が増加する。
【００５７】
一構成では、ブラインド復号の最大数は、復号候補、アグリゲーションレベル、探索空間、および／または時間リソースを、セル（および仮想セルＩＤ）の間で分割することによって維持され得る。すなわち、復号候補、アグリゲーションレベルなどが、異なる仮想セルＩＤに割り当てられ得る。
【００５８】
たとえば、復号候補の数が最初にＫであり、仮想セルＩＤの数が２である場合、２つの仮想セルＩＤのための復号候補は、それぞれ、Ｋ１およびＫ２であり得、Ｋ１＋Ｋ２＝Ｋである。本例によれば、一構成では、Ｋ１復号候補は、サブフレーム中の第１の仮想セルＩＤに関連付けられ得、Ｋ２復号候補は、同じサブフレーム中の第２の仮想セルＩＤに関連付けられ得る。本例によれば、別の構成では、２つの仮想セルＩＤのための復号候補は、奇数サブフレーム中の第１の仮想セルＩＤのためのＫと、偶数サブフレーム中の第２の仮想セルＩＤのためのＫとであり得る。一構成では、分割は、ＲＲＣシグナリングを介してＵＥにシグナリングされる。Ｋ１はＫ２と同数の復号候補を有し得るか、または復号候補の数は異なり得る。別の構成では、セルは、復号候補のセットと仮想セルＩＤとの間の対応をＵＥに送信し得る。
【００５９】
一構成では、ＵＥは、２つ以上の拡張された制御チャネルリソースセットで構成され得、ＵＥのための拡張された制御チャネル復号候補は、２つ以上の拡張された制御チャネルリソースセットの間で分割され得る。ブラインド復号の最大数は、各拡張された制御チャネルリソースセットを仮想セルＩＤに関連付けることによって維持され得る。
【００６０】
別の態様では、ＵＥが拡張された制御チャネルを監視する各物理リソースブロック（ＰＲＢ）ペアは、ブラインド復号の最大数が増加しないように、仮想セルＩＤに関連付けられ得る。この場合、復号候補が２つ以上の物理リソースブロックペアにまたがる場合、特定の拡張された制御チャネル復号候補は、２つ以上の仮想セルＩＤに関連付けられ得る。
【００６１】
仮想セルＩＤ関連付けのための異なるリソースグラニュラリティも可能である。一例として、ＵＥが拡張された制御チャネルを監視する各拡張された制御チャネル要素（ｅＣＣＥ：enhanced control channel element）ペアが、仮想セルＩＤに関連付けられ得る。別の例として、各プリコーディングリソースブロックグループ（ＰＲＧ）が、仮想セルＩＤに関連付けられ得る。
【００６２】
拡張された制御チャネル要素（ｅＣＣＥ）は２つのモードを有し得る。局所化されたモードでは、ＵＥのための拡張された制御チャネル要素を送信するセルは、レガシー制御チャネルを送信するセルと同じである。この場合、ＵＥは、レガシー制御チャネルと拡張された制御チャネルの両方を監視するように構成され得る。局所化されたモードは、ビームフォーミング利得の活用を可能にする。分散されたモードでは、セルは、改善された周波数ダイバーシティのための配信リソースを使用して、拡張された制御チャネルを送信し得る。レガシー制御チャネルセルは、最大の受信された基準信号の電力（ＲＳＲＰ）をもつＵＥによって受信される可能性があるので、局所化されたモードはより電力効率が高い。したがって、拡張された制御チャネル送信セルは拡張された制御チャネルモードにさらに依存し得る。一構成では、ブラインド復号の最大数が増加しないように、各モードは、別個の仮想セルＩＤに関連付けられ得る。
【００６３】
別の構成では、１つの拡張された制御チャネルは、２つ以上のセルから送信され得る。たとえばダウンリンクＣｏＭＰ構成では、拡張された制御チャネルは複数のセルから送信され得る。たとえば、共有チャネルが２つ以上のセルから送信されるとき、拡張された制御チャネルは複数のセルから送信され得る。
【００６４】
図６に、ネットワークにおいてｅＰＤＤＣＨを処理するための方法６００を示す。ブロック６０２において、ｅノードＢは、ＵＥのための少なくとも１つの仮想セルＩＤを構成する。ブロック６０４において、ｅノードＢは、ｅＰＤＣＣＨのための第１の候補を決定する。さらに、ブロック６０６において、ｅノードＢは、第１の候補のための第１の仮想セルＩＤを決定する。さらに、ブロック６０８において、ｅノードＢは、第１の仮想セルＩＤに基づいてｅＰＤＣＣＨをスクランブルする。最後に、ブロック６１０において、ｅノードＢは、第１の候補を使用して、スクランブルされたｅＰＤＣＣＨを送信する。スクランブルされたｅＰＤＣＣＨは、ＵＥに送信される。
【００６５】
図７は、処理システム７１４を採用する装置７００のためのハードウェア実装形態の一例を示す図である。処理システム７１４は、バス７２４によって概略的に表されるバスアーキテクチャを用いて実装され得る。バス７２４は、処理システム７１４の特定の適用例および全体的な設計制約に応じて、任意の数の相互接続バスおよびブリッジを含み得る。バス７２４は、プロセッサ７２２によって表される１つまたは複数のプロセッサおよび／またはハードウェアモジュールと、モジュール７０２、７０４、７０６と、コンピュータ可読媒体７２６とを含む様々な回路を互いにリンクする。バス７２４はまた、タイミングソース、周辺機器、電圧調整器、および電力管理回路など、様々な他の回路をリンクし得るが、これらの回路は当技術分野においてよく知られており、したがって、これ以上説明しない。
【００６６】
本装置は、トランシーバ７３０に結合された処理システム７１４を含む。トランシーバ７３０は、１つまたは複数のアンテナ７２０に結合される。トランシーバ７３０は、伝送媒体を介して様々な他の装置と通信することを可能にする。処理システム７１４は、コンピュータ可読媒体７２６に結合されたプロセッサ７２２を含む。プロセッサ７２２は、コンピュータ可読媒体７２６に記憶されたソフトウェアの実行を含む一般的な処理を担当する。ソフトウェアは、プロセッサ７２２によって実行されたとき、処理システム７１４に、いずれかの特定の装置について説明する様々な機能を実行させる。コンピュータ可読媒体７２６はまた、ソフトウェアを実行するときにプロセッサ７２２によって操作されるデータを記憶するために使用され得る。
【００６７】
処理システム７１４は、ＵＥのための少なくとも１つの仮想セルＩＤを構成するための構成モジュール７０２を含む。処理システム７１４は、ｅＰＤＣＣＨのための第１の候補を決定するための決定モジュール７０４をも含む。決定モジュール７０４はまた、第１の候補のための第１の仮想セルＩＤを決定し得る。処理システム７１４はまた、第１の仮想セルＩＤに基づいてｅＰＤＣＣＨをスクランブルするためのスクランブリングモジュール７０６をさらに含み得る。処理システム７１４はまた、スクランブルされた第１のｅＰＤＣＣＨをＵＥに送信するための送信モジュール７０８をさらに含み得る。それらのモジュールは、プロセッサ７２２中で動作し、コンピュータ可読媒体７２６中に常駐する／記憶された、ソフトウェアモジュールであるか、プロセッサ７２２に結合された１つまたは複数のハードウェアモジュールであるか、またはそれらの何らかの組合せであり得る。処理システム７１４は、ｅノードＢ１１０の構成要素であり得、メモリ４４２および／またはコントローラ／プロセッサ４４０を含み得る。
【００６８】
一構成では、ｅノードＢ１１０は、スクランブルするための手段と、決定するための手段と、構成するための手段とを含むワイヤレス通信のために構成される。一態様では、スクランブリング手段および／または構成手段は、スクランブリング手段、決定手段、および／または構成手段によって具陳された機能を実行するように構成されたコントローラ／プロセッサ４４０、メモリ４４２、構成モジュール７０２、決定モジュール７０４および／またはスクランブリングモジュール７０６であり得る。ｅノードＢ１１０はまた、送信するための手段を含むように構成される。一態様では、送信手段は、送信手段によって具陳された機能を実行するように構成されたコントローラ／プロセッサ４４０、メモリ４４２、送信プロセッサ４２０、変調器４３２ａ〜ｔ、アンテナ４３４ａ〜ｔ、および／または送信モジュール７０８であり得る。別の態様では、上述の手段は、上述の手段によって具陳される機能を実行するように構成されたモジュールまたは任意の装置であり得る。
【００６９】
一構成では、ＵＥ１２０は、ワイヤレス通信のために構成され、決定するための手段と復号するための手段とを含む。一態様では、決定手段および／または復号手段は、決定手段および／または復号手段によって具陳された機能を実行するように構成されたコントローラ／プロセッサ４８０と、メモリ４８２と、復調器４５４と、受信プロセッサ４５８とであり得る。別の態様では、上述の手段はモジュールまたは任意の装置であり得る。
【００７０】
さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００７１】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００７２】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００７３】
１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【００７４】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１］
ユーザ機器（ＵＥ）のための少なくとも１つの仮想セル識別子（ＩＤ）を構成することと、
前記ＵＥのための拡張された物理ダウンリンク制御チャネル（ｅＰＤＣＣＨ）のための第１の候補を決定することと、
前記第１の候補のための第１の仮想セルＩＤを決定することと、
前記第１の仮想セルＩＤに基づいて、前記ｅＰＤＣＣＨをスクランブルすることと、
前記第１の候補を使用して、前記ＵＥに、前記スクランブルされたｅＰＤＣＣＨを送信することと、を備える、ワイヤレス通信の方法。
［Ｃ２］
前記ｅＰＤＣＣＨを他のチャネルと周波数分割多重化することをさらに備える、Ｃ１に記載の方法。
［Ｃ３］
前記構成することが、前記少なくとも１つの仮想セルＩＤを、物理ダウンリンク共有チャネル（ＰＤＳＣＨ）の少なくとも１つの仮想セルＩＤと同じになるように構成することを備える、Ｃ１に記載の方法。
［Ｃ４］
前記構成することが、前記少なくとも１つの仮想セルＩＤを、物理ダウンリンク共有チャネル（ＰＤＳＣＨ）の少なくとも１つの仮想セルＩＤとは別個に構成することを備える、Ｃ１に記載の方法。
［Ｃ５］
前記少なくとも１つの構成された仮想セルＩＤを、前記ＵＥにシグナリングすることをさらに備える、Ｃ１に記載の方法。
［Ｃ６］
前記第１の仮想セルＩＤを、送信された基準信号に関連付けることをさらに備える、Ｃ１に記載の方法。
［Ｃ７］
前記拡張された物理ダウンリンク制御チャネル（ｅＰＤＣＣＨ）のための第２の候補を決定することと、
前記少なくとも１つの仮想セルＩＤが複数の仮想セルＩＤであるとき、前記第２の候補のための前記少なくとも１つの構成された仮想セルＩＤから第２の仮想セルＩＤを決定することと、
前記第２の仮想セルＩＤに基づいて、前記拡張された物理ダウンリンク制御チャネル（ｅＰＤＣＣＨ）をスクランブルすることと、
前記第２の候補を使用して、前記スクランブルされたｅＰＤＣＣＨを送信することと、をさらに備える、Ｃ１に記載の方法。
［Ｃ８］
前記第１の候補を、局所化されたｅＰＤＣＣＨ送信に関連付け、前記第２の候補を、分散されたｅＰＤＣＣＨ送信に関連付けることをさらに備える、Ｃ７に記載の方法。
［Ｃ９］
前記第１の候補を、第１の構成されたｅＰＤＣＣＨリソースセットに関連付け、前記第２の候補を、第２の構成されたｅＰＤＣＣＨリソースセットに関連付けることをさらに備える、Ｃ７に記載の方法。
［Ｃ１０］
前記第１の候補が第１のセルから送信され、前記第２の候補が第２のセルから送信される、Ｃ７に記載の方法。
［Ｃ１１］
複数のｅＰＤＣＣＨリソースセットを構成することと、
仮想セルＩＤを、各ｅＰＤＣＣＨリソースセットに関連付けることとをさらに備える、Ｃ１に記載の方法。
［Ｃ１２］
前記スクランブルされた第１のｅＰＤＣＣＨが複数のセルから送信される、Ｃ１に記載の方法。
［Ｃ１３］
前記少なくとも１つの構成された仮想セルＩＤのうちの少なくとも１つが、前記ＵＥに関連付けられたセルの物理セルＩＤとは異なる、Ｃ１に記載の方法。
［Ｃ１４］
拡張された物理ダウンリンク制御チャネル（ｅＰＤＣＣＨ）のための復号候補の第１のセットを決定することと、
復号候補の前記第１のセットのための第１の仮想セル識別子（ＩＤ）を決定することと、
前記第１の仮想セルＩＤと復号候補の前記決定された第１のセットとに少なくとも部分的に基づいて、前記ｅＰＤＣＣＨを復号することと、を備える、ワイヤレス通信の方法。
［Ｃ１５］
前記ｅＰＤＣＣＨが、前記第１の仮想セルＩＤに少なくとも部分的に基づいてスクランブルされる、Ｃ１４に記載の方法。
［Ｃ１６］
前記第１の仮想セルＩＤが、物理ダウンリンク共有チャネル（ＰＤＳＣＨ）の少なくとも１つの仮想セルＩＤと同じである、Ｃ１４に記載の方法。
［Ｃ１７］
前記第１の仮想セルＩＤが、物理ダウンリンク共有チャネル（ＰＤＳＣＨ）の少なくとも１つの仮想セルＩＤとは異なる、Ｃ１４に記載の方法。
［Ｃ１８］
前記ｅＰＤＣＣＨのための復号候補の第２のセットを決定することと、
復号候補の前記第２のセットのための第２の仮想セルＩＤを決定することと、
前記第２の仮想セルＩＤと復号候補の前記決定された第２のセットとに少なくとも部分的に基づいて、前記ｅＰＤＣＣＨを復号することと、をさらに備える、Ｃ１４に記載の方法。
［Ｃ１９］
復号候補の前記第１のセットの前記ｅＰＤＣＣＨが局所化されたｅＰＤＣＣＨ送信であり、復号候補の前記第２のセットの前記ｅＰＤＣＣＨが分散されたｅＰＤＣＣＨ送信である、Ｃ１８に記載の方法。
［Ｃ２０］
候補の前記第１のセットの前記ｅＰＤＣＣＨが第１のセルから受信され、候補の前記第２のセットの前記ｅＰＤＣＣＨが第２セルから受信される、Ｃ１８に記載の方法。
［Ｃ２１］
前記ｅＰＤＣＣＨが前記第１の仮想セルＩＤによってスクランブルされる、Ｃ１４に記載の方法。
［Ｃ２２］
復号候補の前記第１のセットを、第１の構成されたｅＰＤＣＣＨリソースセットに関連付け、復号候補の前記第２のセットを、第２の構成されたｅＰＤＣＣＨリソースセットに関連付けること、をさらに備える、Ｃ１８に記載の方法。
［Ｃ２３］
前記ｅＰＤＣＣＨが複数のセルから受信される、Ｃ１４に記載の方法。
［Ｃ２４］
複数のｅＰＤＣＣＨリソースセットの構成を受信することと、
仮想セルＩＤを、各ｅＰＤＣＣＨリソースセットに関連付けることと、をさらに備える、Ｃ１４に記載の方法。
［Ｃ２５］
少なくとも１つの構成された仮想セルＩＤを受信することと、
前記受信された少なくとも１つの構成された仮想セルＩＤに少なくとも部分的に基づいて、前記第１の仮想セルＩＤを決定することと、をさらに備える、Ｃ１４に記載の方法。
［Ｃ２６］
前記（１つまたは複数の）構成された仮想セルＩＤのうちの少なくとも１つが、ユーザ機器（ＵＥ）に関連付けられたセルの物理セルＩＤとは異なる、Ｃ２５に記載の方法。
［Ｃ２７］
ユーザ機器（ＵＥ）のための少なくとも１つの仮想セル識別子（ＩＤ）を構成するための手段と、
前記ＵＥのための拡張された物理ダウンリンク制御チャネル（ｅＰＤＣＣＨ）のための第１の候補を決定するための手段と、
前記第１の候補のための第１の仮想セルＩＤを決定するための手段と、
前記第１の仮想セルＩＤに基づいて、前記ｅＰＤＣＣＨをスクランブルするための手段と、
前記第１の候補を使用して、前記ＵＥに、前記スクランブルされたｅＰＤＣＣＨを送信するための手段と、を備える、ワイヤレス通信のための装置。
［Ｃ２８］
拡張された物理ダウンリンク制御チャネル（ｅＰＤＣＣＨ）のための復号候補の第１のセットを決定するための手段と、
復号候補の前記第１のセットのための第１の仮想セル識別子（ＩＤ）を決定するための手段と、
前記第１の仮想セルＩＤと復号候補の前記決定された第１のセットとに少なくとも部分的に基づいて、前記ｅＰＤＣＣＨを復号するための手段と、を備える、ワイヤレス通信のための装置。
［Ｃ２９］
ワイヤレス通信のためのコンピュータプログラム製品であって、前記コンピュータプログラム製品が、
プログラムコードを記録した非一時的コンピュータ可読媒体を備え、前記プログラムコードが、
ユーザ機器（ＵＥ）のための少なくとも１つの仮想セル識別子（ＩＤ）を構成するためのプログラムコードと、
前記ＵＥのための拡張された物理ダウンリンク制御チャネル（ｅＰＤＣＣＨ）のための第１の候補を決定するためのプログラムコードと、
前記第１の候補のための第１の仮想セルＩＤを決定するためのプログラムコードと、
前記第１の仮想セルＩＤに基づいて、前記ｅＰＤＣＣＨをスクランブルするためのプログラムコードと、
前記第１の候補を使用して、前記ＵＥに、前記スクランブルされたｅＰＤＣＣＨを送信するためのプログラムコードと、を備える、コンピュータプログラム製品。
［Ｃ３０］
ワイヤレス通信のためのコンピュータプログラム製品であって、前記コンピュータプログラム製品が、
プログラムコードを記録した非一時的コンピュータ可読媒体を備え、前記プログラムコードが、
拡張された物理ダウンリンク制御チャネル（ｅＰＤＣＣＨ）のための復号候補の第１のセットを決定するためのプログラムコードと、
復号候補の前記第１のセットのための第１の仮想セル識別子（ＩＤ）を決定するためのプログラムコードと、
前記第１の仮想セルＩＤと復号候補の前記決定された第１のセットとに少なくとも部分的に基づいて、前記ｅＰＤＣＣＨを復号するためのプログラムコードと、を備える、コンピュータプログラム製品。
［Ｃ３１］
メモリと、
前記メモリに結合された少なくとも１つのプロセッサとを備える、ワイヤレス通信のための装置であって、前記少なくとも１つのプロセッサが、
ユーザ機器（ＵＥ）のための少なくとも１つの仮想セル識別子（ＩＤ）を構成することと、
前記ＵＥのための拡張された物理ダウンリンク制御チャネル（ｅＰＤＣＣＨ）のための第１の候補を決定することと、
前記第１の候補のための第１の仮想セルＩＤを決定することと、
前記第１の仮想セルＩＤに基づいて、前記ｅＰＤＣＣＨをスクランブルすることと、
前記第１の候補を使用して、前記ＵＥに、前記スクランブルされたｅＰＤＣＣＨを送信することと、を行うように構成された、装置。
［Ｃ３２］
前記少なくとも１つのプロセッサが、前記ｅＰＤＣＣＨを他のチャネルと周波数分割多重化するようにさらに構成された、Ｃ３１に記載の装置。
［Ｃ３３］
前記少なくとも１つのプロセッサが、前記少なくとも１つの仮想セルＩＤを、物理ダウンリンク共有チャネル（ＰＤＳＣＨ）の少なくとも１つの仮想セルＩＤと同じになるように構成するようにさらに構成された、Ｃ３１に記載の装置。
［Ｃ３４］
前記少なくとも１つのプロセッサが、前記少なくとも１つの仮想セルＩＤを、物理ダウンリンク共有チャネル（ＰＤＳＣＨ）の少なくとも１つの仮想セルＩＤとは別個に構成するようにさらに構成された、Ｃ３１に記載の装置。
［Ｃ３５］
前記少なくとも１つプロセッサが、前記少なくとも１つの構成された仮想セルＩＤを、前記ＵＥにシグナリングするようにさらに構成された、Ｃ３１に記載の装置。
［Ｃ３６］
前記少なくとも１つのプロセッサが、前記第１の仮想セルＩＤを、送信された基準信号に関連付けるようにさらに構成された、Ｃ３１に記載の装置。
［Ｃ３７］
前記少なくとも１つのプロセッサが、
前記拡張された物理ダウンリンク制御チャネル（ｅＰＤＣＣＨ）の第２の候補を決定することと、
前記少なくとも１つの仮想セルＩＤが複数の仮想セルＩＤであるとき、前記第２の候補のための前記少なくとも１つの構成された仮想セルＩＤから第２の仮想セルＩＤを決定することと、
前記第２の仮想セルＩＤに基づいて、前記拡張された物理ダウンリンク制御チャネル（ｅＰＤＣＣＨ）をスクランブルすることと、
前記第２の候補を使用して、前記スクランブルされたｅＰＤＣＣＨを送信することと、を行うようにさらに構成された、Ｃ３１に記載の装置。
［Ｃ３８］
前記少なくとも１つのプロセッサが、
前記第１の候補を局所化されたｅＰＤＣＣＨ送信に関連付けることと、
前記第２の候補を分散されたｅＰＤＣＣＨ送信に関連付けることと、を行うようにさらに構成された、Ｃ３７に記載の装置。
［Ｃ３９］
前記少なくとも１つのプロセッサが、
前記第１の候補を、第１の構成されたｅＰＤＣＣＨリソースセットに関連付け、前記第２の候補を、第２の構成されたｅＰＤＣＣＨリソースセットに関連付ける、ようにさらに構成された、Ｃ３７に記載の装置。
［Ｃ４０］
前記第１の候補が第１のセルから送信され、前記第２の候補が第２のセルから送信される、Ｃ３７に記載の装置。
［Ｃ４１］
前記少なくとも１つのプロセッサが、
複数のｅＰＤＣＣＨリソースセットを構成することと、
仮想セルＩＤを、各ｅＰＤＣＣＨリソースセットに関連付けることと、を行うようにさらに構成された、Ｃ３１に記載の装置。
［Ｃ４２］
前記スクランブルされた第１のｅＰＤＣＣＨが複数のセルから送信される、Ｃ３１に記載の装置。
［Ｃ４３］
前記少なくとも１つの構成された仮想セルＩＤのうちの少なくとも１つが、前記ＵＥに関連付けられたセルの物理セルＩＤとは異なる、Ｃ３１に記載の装置。
［Ｃ４４］
メモリと、
前記メモリに結合された少なくとも１つのプロセッサとを備える、ワイヤレス通信のための装置であって、前記少なくとも１つのプロセッサが、
拡張された物理ダウンリンク制御チャネル（ｅＰＤＣＣＨ）のための復号候補の第１のセットを決定すること、
復号候補の前記第１のセットのための第１の仮想セル識別子（ＩＤ）を決定することと、
前記第１の仮想セルＩＤと復号候補の前記決定された第１のセットとに少なくとも部分的に基づいて、前記ｅＰＤＣＣＨを復号することと、を行うように構成された、装置。
［Ｃ４５］
前記ｅＰＤＣＣＨが前記第１の仮想セルＩＤによってスクランブルされる、Ｃ４４に記載の装置。
［Ｃ４６］
前記第１の仮想セルＩＤが、物理ダウンリンク共有チャネル（ＰＤＳＣＨ）の少なくとも１つの仮想セルＩＤと同じである、Ｃ４４に記載の装置。
［Ｃ４７］
前記第１の仮想セルＩＤが、物理ダウンリンク共有チャネル（ＰＤＳＣＨ）の少なくとも１つの仮想セルＩＤとは異なる、Ｃ４４に記載の装置。
［Ｃ４８］
前記少なくとも１つのプロセッサが、
前記ｅＰＤＣＣＨの復号候補の第２のセットを決定することと、
復号候補の前記第２セットのための第２の仮想セルＩＤを決定することと、
前記第２の仮想セルＩＤと復号候補の前記決定された第２のセットとに少なくとも部分的に基づいて、前記ｅＰＤＣＣＨを復号することと、を行うようにさらに構成された、Ｃ４４に記載の装置。
［Ｃ４９］
復号候補の前記第１のセットの前記ｅＰＤＣＣＨが局所化されたｅＰＤＣＣＨ送信であり、候補の前記第２のセットの前記ｅＰＤＣＣＨが分散されたｅＰＤＣＣＨ送信である、Ｃ４８に記載の装置。
［Ｃ５０］
候補の前記第１のセットの前記ｅＰＤＣＣＨが第１のセルから受信され、候補の前記第２のセットの前記ｅＰＤＣＣＨが第２セルから受信される、Ｃ４８に記載の装置。
［Ｃ５１］
前記ｅＰＤＣＣＨが前記第２の仮想セルＩＤによってスクランブルされる、Ｃ４８に記載の装置。
［Ｃ５２］
前記少なくとも１つのプロセッサが、候補の前記第１のセットを、第１の構成されたｅＰＤＣＣＨリソースセットに関連付け、候補の前記第２のセットを、第２の構成されたｅＰＤＣＣＨリソースセットに関連付けるようにさらに構成された、Ｃ４８に記載の装置。
［Ｃ５３］
前記ｅＰＤＣＣＨが複数のセルから受信される、Ｃ４４に記載の装置。
［Ｃ５４］
前記少なくとも１つのプロセッサが、
複数のｅＰＤＣＣＨリソースセットの構成を受信することと、
仮想セルＩＤを、各ｅＰＤＣＣＨリソースセットに関連付けることと、を行うようにさらに構成された、Ｃ４４に記載の装置。
［Ｃ５５］
前記少なくとも１つのプロセッサが、
少なくとも１つの構成された仮想セルＩＤを受信することと、
前記受信された少なくとも１つの構成された仮想セルＩＤに少なくとも部分的に基づいて、前記第１の仮想セルＩＤを決定することと、を行うようにさらに構成された、Ｃ４４に記載の装置。
［Ｃ５６］
前記（１つまたは複数の）構成された仮想セルＩＤのうちの前記少なくとも１つが、ユーザ機器（ＵＥ）に関連付けられたセルの物理セルＩＤとは異なる、Ｃ５５に記載の装置。
【図１】
0005893757.tif 000002
【図２】
0005893757.tif 000003
【図３】
0005893757.tif 000004
【図４】
0005893757.tif 000005
【図５】
0005893757.tif 000006
【図６】
0005893757.tif 000007
【図７】
0005893757.tif 000008